(57)【特許請求の範囲】
【請求項１】
表面シート、裏面シート及びこれら両シート間に配された吸収体を具備する縦長の吸収性物品であって、
着用者の液排泄部が対向配置される排泄部対向領域、該排泄部対向領域より前方の前方領域、及び該排泄部対向領域より後方の後方領域に区分されており、
肌対向面に、前記表面シート及び前記吸収体が、前記裏面シート側に向かって一体的に圧搾されてなる圧搾溝を備え、
前記圧搾溝は、前記前方領域に幅方向に延びる前方圧搾溝と、前記排泄部対向領域における長手方向に沿う両側部に長手方向に延びる一対の縦圧搾溝とを有し、
前記前方圧搾溝及び各前記縦圧搾溝は、幅方向内側に向かって括れる括れ部を形成しながら連接されており、
前記前方圧搾溝は、幅方向中央部にて後方側に向かって窪んだ窪み部を有しており、
前記前方圧搾溝は、前記吸収性物品の長手方向に延びる中心線より右側において右斜め前方に凸状に突出した円弧状の右凸部圧搾溝と、該中心線より左側において左斜め前方に凸状に突出した円弧状の左凸部圧搾溝とを有しており、
前記右凸部圧搾溝における最も前方の位置と前記左凸部圧搾溝における最も前方の位置との幅方向の間隔Ｗ１と、前記圧搾溝を構成する前記一対の括れ部の幅方向の間隔Ｗ２とが、Ｗ１≦Ｗ２であり、
前記前方圧搾溝の最も前方の位置と、前記括れ部の位置との長手方向の間隔を間隔Ｌ２とした場合、間隔Ｌ２に対する窪み部の窪みの程度Ｌ１の比（Ｌ１／Ｌ２）が１／５以上２／３以下である吸収性物品。
【請求項２】
前記右凸部圧搾溝及び前記左凸部圧搾溝は、Ｖ字状に窪んだ前記窪み部にて交差し連接されている請求項１に記載の吸収性物品。
【請求項３】
前記吸収体は、前記排泄部対向領域に、他の部分よりも厚みの厚い中高領域を有しており、
前記吸収性物品の長手方向において、前記中高領域の前端が、前記一対の括れ部近傍で、かつ該括れ部よりも幅方向内側の位置に配されている請求項１又は２に記載の吸収性物品。
【請求項４】
前記吸収性物品は、その長手方向に沿う両側部に、着用時に着用者の肌側に向かって起立する一対の立体ガードを備えており、
各前記立体ガードを構成する立体ガード形成用シートは、前記前方領域及び前記後方領域それぞれの固定部にて、前記表面シートに固定されており、
前記吸収性物品の長手方向において、前記前方領域側の固定部は、前記括れ部の位置よりも前方に配されている請求項１〜３の何れか１項に記載の吸収性物品。
【請求項５】
前記吸収性物品は、前記排泄部対向領域における両側に一対のウイング部を備えており、
前記吸収性物品の長手方向において、各前記括れ部は、各前記ウイング部の前方付け根の位置よりも前方に配されている請求項１〜４の何れか１項に記載の吸収性物品。
【請求項６】
前記圧搾溝は、前記後方領域に幅方向に延びる後方圧搾溝を有し、
前記後方圧搾溝は、その中央部にて前方側に窪んだ窪み部を有している請求項１〜５の何れか１項に記載の吸収性物品。
【発明の詳細な説明】
【技術分野】
【０００１】
本発明は、生理用ナプキン、失禁パッド等の吸収性物品に関する。
【背景技術】
【０００２】
一般的に、表面シート、裏面シート及びこれら両シート間に配された吸収体を具備し、肌対向面に表面シート及び吸収体が裏面シート側に向かって一体的に圧搾されてなる圧搾溝を備える生理用ナプキンが知られている（特許文献１，特許文献２）。
【０００３】
特許文献１に記載の生理用ナプキンは、吸収体における前方領域及び後方領域それぞれに、前方中高部及び後方中高部を設け、該前方中高部と該後方中高部との間に、前方領域又は後方領域の変形を、互いに影響させない折り曲げ起点が、圧搾溝の一部に設けられている。その為、前方領域又は後方領域の一方に変形が発生しても、このような変形の発生が、前方領域又は後方領域に影響を与えず、フィット性が高く、快適な装着感が得られる。
【０００４】
また、特許文献２に記載の生理用ナプキンは、後方領域に幅方向に沿うように形成される後方圧搾溝を有し、該後方圧搾溝は、後方領域における幅方向中央部に前方にＶ字状に窪んだ窪みを有している。その為、ナプキン着用中の動作時に、臀部の肉が左右に動くことによりナプキンにかかる力や、歩行時の足回りからかかる左右からの力に対してナプキンの後方領域がよれにくくなり、漏れを防ぐことができる。
【先行技術文献】
【特許文献】
【０００５】
【特許文献１】特開２００２−２９１８０６号公報
【特許文献２】特開２００９−０７７９２７号公報
【発明の概要】
【発明が解決しようとする課題】
【０００６】
しかし、特許文献１に記載の生理用ナプキンの有する、折り曲げ起点となる圧搾溝以外の環状の圧搾溝は、前方領域における部分が、単に前方に凸状に湾曲した形状であるため、ナプキンの使用中に、前方領域の幅方向内側に応力が掛かると、該応力により前方領域に縦皺が発生する場合があった。このような縦皺が発生すると、フィット性が悪く、体液が漏れ出してしまう。このように、特許文献１に記載の生理用ナプキンには、更なる改良の余地があった。
【０００７】
また、特許文献２に記載の技術は、着用者の臀部に注目した、ナプキンの後方領域の後方圧搾溝に関する技術であり、特許文献２には、ナプキンの前方領域に関して何ら記載されていない。具体的には、前方領域における圧搾溝の部分が、単に前方に凸状に湾曲した形状であるため、やはり使用中に前方領域の幅方向内側に掛かる応力により前方領域に縦皺が発生してしまう。このように、特許文献２に記載の生理用ナプキンは、使用中に前方領域の幅方向内側に掛かる応力により発生する前方領域の縦皺に関して考慮されていない。
【０００８】
したがって本発明は、前述した従来技術が有する欠点を解消し得る吸収性物品を提供することにある。
【課題を解決するための手段】
【０００９】
本発明は、表面シート、裏面シート及びこれら両シート間に配された吸収体を具備する縦長の吸収性物品であって、着用者の液排泄部が対向配置される排泄部対向領域、該排泄部対向領域より前方の前方領域、及び該排泄部対向領域より後方の後方領域に区分されており、肌対向面に、前記表面シート及び前記吸収体が、前記裏面シート側に向かって一体的に圧搾されてなる圧搾溝を備え、前記圧搾溝は、前記前方領域に幅方向に延びる前方圧搾溝と、前記排泄部対向領域における長手方向に沿う両側部に長手方向に延びる一対の縦圧搾溝とを有し、前記前方圧搾溝及び各前記縦圧搾溝は、幅方向内側に向かって括れる括れ部を形成しながら連接されており、前記前方圧搾溝は、幅方向中央部にて後方側に向かって窪んだ窪み部を有している吸収性物品を提供するものである。
【発明の効果】
【００１０】
本発明によれば、使用中に前方領域の幅方向内側に掛かる応力により前方領域に縦皺が発生し難く、使用感が向上する。
【図面の簡単な説明】
【００１１】
【図１】図１は、本発明の一実施形態である生理用ナプキンを表面シート側から見た斜視図である。
【図２】図２は、図１に示す生理用ナプキンを表面シート側から見た平面図である。
【図３】図３は、図２のＩＩＩ−ＩＩＩ線断面図である。
【図４】図４は、図２のＩＶ−ＩＶ線断面図である。
【発明を実施するための形態】
【００１２】
以下本発明を、その好ましい実施形態に基づき図面を参照しながら説明する。
本実施形態の吸収性物品は、生理用ナプキンであり、本実施形態の生理用ナプキン１（以下、「ナプキン１」ともいう。）は、図１〜図４に示すように、表面シート２、裏面シート３及びこれら両シート２，３間に配された吸収体４を具備する縦長のものである。
本明細書において、「肌対向面」とは、ナプキン１を構成する表面シート２などの各部材の表裏両面のうち、着用時に着用者の肌側に配される面であり、「非肌対向面」とは、ナプキン１を構成する表面シート２などの各部材の表裏両面のうち、着用時に着用者の肌側とは反対側（衣類側）に向けられる面である。
また、本明細書において、「前後方向」とは、着用時に着用者の前後方向と一致する方向であり、ナプキン１の長手方向と一致する方向でもある。尚、前後方向又は長手方向を、各図には「Ｘ方向」で示している。また、各図に示す「Ｙ方向」は、Ｘ方向に直交する方向であり、ナプキン１の左右方向又は幅方向と同じ方向である。
ナプキン１は、図１に示すように、ナプキン１の長手方向（Ｘ方向）に延びる中心線ＣＬに対して左右対称に形成されている。
【００１３】
本実施形態のナプキン１は、図１〜図３に示すように、就寝時の使用に適した夜用のナプキンである。夜用のナプキンは、好適には全長が３０ｃｍ以上のものである。
ナプキン１は、図１に示すように、前後方向（Ｘ方向）に長い縦長の吸収性本体１０と、一対のウイング部２０，２０と、一対の後方フラップ部３０，３０とを有している。
ナプキン１は、その前後方向（Ｘ方向）に、前方領域Ａ、排泄部対向領域Ｂ及び後方領域Ｃに区分され、排泄部対向領域Ｂにおける吸収性本体１０の左右両側に一対のウイング部２０，２０を備え、更に後方領域Ｃにおける吸収性本体１０の左右両側に一対の後方フラップ部３０，３０を備えている。
【００１４】
本発明の吸収性物品において、排泄部対向領域Ｂは、幅方向（Ｙ方向）の中央領域における、着用者の液排泄部（膣口等）が対向配置される領域であり、前方領域Ａは、排泄部対向領域Ｂより着用者の前側（腹側）に配される領域であり、後方領域Ｂは、排泄部対向領域Ｂより着用者の背中側に配される領域である。排泄部対向領域Ｂは、本実施形態のナプキン１のようにウイング部２０を有する場合には、吸収性物品の前後方向（Ｘ方向）においてウイング部２０を有する領域（ウイング部の前後方向一方側の付け根と他方側の付け根とに挟まれた領域）である。ウイング部２０を有しない吸収性物品における排泄部対向領域は、吸収性物品が３つ折りの個装形態に折り畳まれた際に生じる、該吸収性物品の幅方向（Ｙ方向）に横断する２本の折曲線（図示せず）について、該吸収性物品の前後方向（Ｘ方向）の前端から数えて第１折曲線と第２折曲線とに囲まれた領域である。
【００１５】
ナプキン１は、図１〜図４に示すように、肌対向面を形成する液透過性の表面シート２、非肌対向面を形成する液難透過性の裏面シート３及びそれら２，３の間に配された吸収体４を具備する縦長の吸収性本体１０を備えている。また、吸収性本体１０は、表面シート２の左右両側に接合された一対の立体ガード形成用シート５，５を備えている。即ち、ナプキン１は、長手方向（Ｘ方向）に沿う両側部に、着用時に着用者の肌側に向かって起立する一対の立体ガード５０，５０を備えている。
【００１６】
表面シート２は、ナプキン１においては、図１〜図４に示すように、吸収体４の肌対向面を覆い、吸収性本体１０の幅方向（Ｙ方向）の中央部に、吸収性本体１０の前後方向（Ｘ方向）の全長に亘るように配されている。
【００１７】
裏面シート３は、ナプキン１においては、図１〜図４に示すように、吸収体４の非肌対向面の全面を覆っている。裏面シート３の前後方向（Ｘ方向）の前後端は、吸収体４の前後端それぞれから前後方向（Ｘ方向）外方に延出している。裏面シート３の前後方向（Ｘ方向）に沿う両側は、吸収体４の左右両側それぞれから幅方向（Ｙ方向）外方に延出している。そして、裏面シート３は、前方領域Ａ、排泄部対向領域Ｂ及び後方領域Ｃにおいて、吸収性本体１０の輪郭と一致する輪郭を有している。排泄部対向領域Ｂ及び後方領域Ｃにおける裏面シート３の延出部分が、それぞれ、ウイング部２０及び後方フラップ部３０の形成材料となる。
【００１８】
吸収体４は、ナプキン１においては、パルプ繊維等の繊維材料からなる繊維集合体又は該繊維集合体に高吸水性ポリマーを保持させた吸収性コアの上下両面を、ティッシュペーパーや透水性の不織布からなるコアラップシート（図示せず）によって被覆されて形成されている。コアラップシートは、吸収性コアの形成材料の漏れ出しを防止したり、吸収性コアの保形性を高めたりする目的で使用される。表面シート２と、吸収体４の肌対向面を形成するコアラップシートとの間、及び裏面シート３と、吸収体４の非肌対向面を形成するコアラップシートとの間は、ドット、スパイラル、ストライプ等のパターン塗工された接着剤により互いに接合されていることが好ましい。
【００１９】
吸収体４は、ナプキン１においては、図２に示すように、ナプキン１の前後方向（Ｘ方向）と同方向に長い形状を有しており、その排泄部対向領域Ｂに、他の部分よりも厚みの厚い中高領域を有している。また、吸収体４は、ナプキン１の排泄部対向領域Ｂから後方領域Ｃの一部に亘る領域における幅方向（Ｙ方向）の中央部に、前方中高領域４１を有するとともに、後方領域Ｃにおける幅方向（Ｙ方向）の中央部に後方中高領域４２を有している。また、吸収体４は、前方中高領域４１と後方中高領域４２とを纏めて取り囲む環状の周辺領域４３を有している。このように、ナプキン１においては、排泄部対向領域Ｂの前方中高領域４１以外に、後方領域Ｃに後方中高領域４２も有している。
【００２０】
ナプキン１においては、図１，図３に示すように、表面シート２の下に、吸収体４の前方中高領域４１が存在することによって、排泄部対向領域Ｂから後方領域Ｃの一部に亘る領域における肌対向面の幅方向中央部に、着用者の肌側に向かって突出する前方隆起部１１が形成されており、また、表面シート２の下に、吸収体４の後方中高領域４２が存在することによって、後方領域Ｃにおける肌対向面の幅方向中央部に、着用者の肌側に向かって突出する後方隆起部１２が形成されている。
【００２１】
前方中高領域４１は、図３に示すように、吸収体４の周辺領域４３における厚みよりも厚みが厚い領域であり、排泄部対向領域Ｂから後方領域Ｃの一部に亘る領域に形成されている。前方中高領域４１は、排泄部対向領域Ｂのみに形成されていても良いが、図１，図２に示すように、排泄部対向領域Ｂから後方領域Ｃの一部に亘って延在していることが好ましい。
【００２２】
後方中高領域４２は、吸収体４の周辺領域４３における厚みよりも厚みが厚い領域であり、図１，図２に示すように、後方領域Ｃに形成されている。また、後方中高領域４２は、吸収体４の前後方向（Ｘ方向）において、前方中高領域４１よりも後方に形成されている。本実施形態では、前方中高領域４１と後方中高領域４２とは、長手方向（Ｘ方向）において互いに離間しており、各々が着用者の所定部位にフィットしやすい構造となっている。
【００２３】
立体ガード５０を構成する立体ガード形成用シート５は、ナプキン１においては、図２，図３，図４に示すように、表面シート２の左右両側部それぞれに前後方向（Ｘ方向）に沿って配されている。立体ガード形成用シート５は、吸収性本体１０の幅方向（Ｙ方向）の中心線ＣＬ寄りの位置に外方に向かって折り返された折り返し部５１を有し、該折り返し部５１から幅方向（Ｙ方向）外方に位置する部分において表面シート２上に接合されている。立体ガード形成用シート５は、立体ガードの自由端を形成する側縁部５２の近傍に立体ガード形成用の弾性部材５３を有しており、着用時には、その弾性部材５３の収縮力により、排泄部対向領域Ｂにおける折り返し部５１から側縁部５２までの間の部分が着用者の肌側に向かって起立して立体ガード５０を形成する。
【００２４】
立体ガード５０について、さらに詳述すると、図２に示すように、立体ガード形成用の弾性部材５３は、排泄部対向領域Ｂの全域を含んで、排泄部対向領域Ｂから前方領域Ａの一部に亘る領域及び排泄部対向領域Ｂから後方領域Ｃの一部に亘る領域に延在している。立体ガード形成用シート５は、前方領域Ａ及び後方領域Ｂそれぞれの固定部５４ａ，５４ｃにて、表面シート２に固定されている。具体的には、立体ガード形成用シート５における折り返し部５１から側縁部５２に亘る部分が、ナプキン１の前端から後方の前方領域Ａの一部に亘る領域において、図４に示すように、接着剤或いは熱シールによって、表面シート２上に固定されている。同様に、立体ガード形成用シート５における折り返し部５１から側縁部５２に亘る部分が、ナプキン１の後端から前方の後方領域Ｃの一部に亘る領域において、接着剤或いは熱シールによって、表面シート２上に固定されている。従って、着用時には、弾性部材５３の収縮力により、排泄部対向領域Ｂ全域を含む領域における折り返し部５１から側縁部５２までの間の部分が、着用者の肌側に向かって起立して立体ガード５０を形成する。
【００２５】
一対のウイング部２０，２０及び一対の後方フラップ部３０，３０は、吸収体４の両側縁から延出した立体ガード形成用シート５及び裏面シート３からなる。一対のウイング部２０それぞれの裏面シート３からなる面には、ショーツのクロッチ部の非肌対向面に固定するためのウイング部粘着部（図示せず）が設けられている。また、一対の後方フラップ部３０それぞれの裏面シート３からなる面にも、ショーツの非肌対向面に固定するためのフラップ部粘着部（図示せず）が設けられていることが好ましい。更に、ナプキン１においては、吸収性本体１０の幅方向（Ｙ方向）中央部における裏面シート３の非肌対向面に、衣類に固定する縦長の固定用部材（図示せず）が設けられている。
【００２６】
肌側シート２と裏面シート３とは、吸収体４の周縁部より外方が接着剤で互いに接合されている。そして、肌側シート２、裏面シート３及び立体ガード形成用シート５は、一対のウイング部２０，２０及び一対の後方フラップ部３０，３０を有するナプキン１の全周縁の輪郭に倣って、全周縁に亘って熱シールにより接合されている。
【００２７】
ナプキン１においては、図１，図２に示すように、肌対向面に、表面シート２及び吸収体４が、裏面シート３側に向かって一体的に圧搾されてなる圧搾溝６を備えている。以下、圧搾溝６について、具体的に説明する。圧搾溝６は、例えば、熱エンボス加工、又は超音波シール加工による圧搾により形成されている。
【００２８】
圧搾溝６は、図２に示すように、前方領域Ａに幅方向（Ｙ方向）に延びる前方圧搾溝６ａと、排泄部対向領域Ｂにおける長手方向（Ｘ方向）に沿う両側部に長手方向（Ｘ方向）に延びる一対の縦圧搾溝６ｂｓ，６ｂｓとを有している。ナプキン１においては、圧搾溝６は、前方圧搾溝６ａ及び一対の縦圧搾溝６ｂｓ，６ｂｓに加えて、後方領域Ｃの両側部に長手方向（Ｘ方向）に沿って延びる一対の縦圧搾溝６ｃｓ，６ｃｓと、後方領域Ｃに幅方向（Ｙ方向）に延びる横圧搾溝６ｃと、縦圧搾溝６ｂｓと縦圧搾溝６ｃｓとの境界付近に位置して幅方向（Ｙ方向）に延びる横圧搾溝６ｄとを有している。ナプキン１においては、前方圧搾溝６ａ、一対の縦圧搾溝６ｂｓ，６ｂｓ、一対の縦圧搾溝６ｃｓ，６ｃｓ及び横圧搾溝６ｃが繋がって環状の全周溝を形成している。また、圧搾溝６は、ナプキン１においては、前方圧搾溝６ａ及び一対の縦圧搾溝６ｂｓ，６ｂｓ以外に他の溝を有しているが、他の溝を有していなくてもよく、他の溝の形状も後述する形状に限らない。
【００２９】
前方圧搾溝６ａは、図２に示すように、その幅方向（Ｙ方向）中央部にて後方側に向かって窪んだ窪み部６１を有している。具体的には、前方圧搾溝６ａは、中心線ＣＬより右側において右斜め前方に凸状に突出した円弧状の右凸部圧搾溝６ａｒと、中心線ＣＬより左側において左斜め前方に凸状に突出した円弧状の左凸部圧搾溝６ａｌとを有している。右凸部圧搾溝６ａｒ及び左凸部圧搾溝６ａｌは、中心線ＣＬ側にて後方側にＶ字状に窪んだ窪み部６１を形成しながら交差し連接されている。即ち、右凸部圧搾溝６ａｒ及び左凸部圧搾溝６ａｌは、中心線ＣＬ側にてＶ字状に窪んだ窪み部６１にて交差し連接されている。尚、前方圧搾溝６ａは、後方側に窪んだ窪み部６１を有していれば、上述した形状に限られるものではない。
【００３０】
前方圧搾溝６ａ及び各縦圧搾溝６ｂｓは、幅方向（Ｙ方向）内側に向かって括れる括れ部６２ｒ，６２ｌを形成しながら連接されている。具体的には、一対の縦圧搾溝６ｂｓ，６ｂｓは、ナプキン１においては、図２に示すように、排泄部対向領域Ｂから後方領域Ｃの一部に亘る領域に配されている。言い換えれば、一対の縦圧搾溝６ｂｓ，６ｂｓは、吸収体４の前方中高領域４１の両側に沿って配され、幅方向（Ｙ方向）外方に凸状に湾曲した円弧状に形成されている。このように、吸収体４の前方中高領域４１は、前方圧搾溝６ａ及び一対の縦圧搾溝６ｂｓ，６ｂｓよりも幅方向（Ｙ方向）内側に配されている。
【００３１】
前方圧搾溝６ａを構成する右凸部圧搾溝６ａｒと一方の縦圧搾溝６ｂｓとは中心線ＣＬ側に括れた右側括れ部６２ｒを形成しながら連接されている。即ち、中心線ＣＬより右側においては、前方圧搾溝６ａの右凸部圧搾溝６ａｒと一方の縦圧搾溝６ｂｓとが、一方の括れ部６２ｒにて連接されている。また、前方圧搾溝６ａを構成する左凸部圧搾溝６ａｌと他方の縦圧搾溝６ｂｓとは中心線ＣＬ側に括れた左側括れ部６２ｌを形成しながら連接されている。即ち、中心線ＣＬより左側においては、前方圧搾溝６ａの左凸部圧搾溝６ａｌと他方の縦圧搾溝６ｂｓとが、他方の括れ部６２ｌにて連接されている。右側括れ部６２ｒと左側括れ部６２ｌとは、中心線ＣＬに対して左右対称に形成されている。括れ部６２ｒ、６２ｌは、それぞれ、中心線ＣＬ側に向かって括れたＶ字形状の底をなしている。
【００３２】
一対の縦圧搾溝６ｃｓ，６ｃｓは、図２に示すように、吸収体４の後方中高領域４２を囲むように配され、幅方向（Ｙ方向）外方に凸状に湾曲した円弧状に形成されている。右側においては、一方の縦圧搾溝６ｃｓと一方の縦圧搾溝６ｂｓとが中心線ＣＬ側に滑らかに括れた右側中間括れ部６３ｒを形成しながら交差し連接されている。また、左側においては、他方の縦圧搾溝６ｃｓと他方の縦圧搾溝６ｂｓとが中心線ＣＬ側に滑らかに括れた左側中間括れ部６３ｌを形成しながら交差し連接されている。右側中間括れ部６３ｒと左側中間括れ部６３ｌとは、中心線ＣＬに対して左右対称に形成されている。
【００３３】
横圧搾溝６ｃは、図２に示すように、その中央部にて前方側に窪んだ窪み部６４を有している。具体的には、横圧搾溝６ｃは、中心線ＣＬより右側において右斜め後方に凸状に突出した円弧状の右凸部圧搾溝６ｃｒと、中心線ＣＬより左側において左斜め後方に凸状に突出した円弧状の左凸部圧搾溝６ｃｌとを有している。右凸部圧搾溝６ｃｒ及び左凸部圧搾溝６ｃｌは、中心線ＣＬ側にて前方側にＶ字状に窪んだ窪み６４を形成しながら交差し連接されている。即ち、右凸部圧搾溝６ｃｒ及び左凸部圧搾溝６ｃｌは、中心線ＣＬ側にてＶ字状に窪んだ窪み部６４にて交差し連接されている。尚、横圧搾溝６ｃは、前方側に窪んだ窪み部６４を有していれば、上述した形状に限られるものではない。
【００３４】
横圧搾溝６ｃを構成する右凸部圧搾溝６ｃｒと一方の縦圧搾溝６ｃｓとは外方に凸状に湾曲しながら滑らかに連接されている。また、横圧搾溝６ｃを構成する左凸部圧搾溝６ｃｌと他方の縦圧搾溝６ｃｓとは外方に凸状に湾曲しながら滑らかに連接されている。
【００３５】
横圧搾溝６ｄは、図２に示すように、吸収体４の前方中高領域４１と後方中高領域４との間の領域にて、後方に凸状に突出した円弧状に形成されている。横圧搾溝６ｄの両端部は、右側中間括れ部６３ｒ及び左側中間括れ部６３ｌ近傍の位置まで延在している。
【００３６】
尚、ナプキン１のように、後方領域Ｃに、幅方向（Ｙ方向）に延びる横圧搾溝が、複数本（ナプキン１においては、横圧搾溝６ｃ及び横圧搾溝６ｄの２本）存在している場合には、後方領域Ｃに幅方向（Ｙ方向）に延びる横圧搾溝６ｃとは、最も後方に位置する横圧搾溝６ｃを意味する。
【００３７】
図２に示すように、前方圧搾溝６ａを構成する左凸部圧搾溝６ａｌ及び右凸部圧搾溝６ａｒにおける最も前方の位置６ａｌ０及び６ａｒ０と、圧搾溝６を構成する一対の括れ部６２ｒ，６２ｌの位置との長手方向（Ｘ方向）の距離をＬ２とした場合、距離Ｌ２に対する窪み部６１の窪みの程度Ｌ１の比（Ｌ１／Ｌ２）は、前方圧搾溝６ａで囲まれた領域の面を安定化させて縦皺を確実に防止する観点から、１／５以上２／３以下であることが好ましく、1／４以上１／２以下であることが更に好ましい。
【００３８】
また、前方圧搾溝６ａを構成する左凸部圧搾溝６ａｌにおける最も前方の位置６ａｌ０と右凸部圧搾溝６ａｒにおける最も前方の位置６ａｒ０との幅方向（Ｙ方向）の間隔Ｗ１と、圧搾溝６を構成する一対の括れ部６２ｒ，６２ｌの幅方向（Ｙ方向）の間隔Ｗ２とは、前方圧搾溝６ａで囲まれた領域の面を安定化させて縦皺を確実に防止する観点から、Ｗ１≦Ｗ２であることが好ましい。すなわち、位置６ａｌ０と位置６ａｒ０の幅方向（Ｙ方向）それぞれの位置は、括れ部６２ｌ，６２ｒの幅方向（Ｙ方向）それぞれの位置に対して、内側に存在することが好ましい。なお、左凸部圧搾溝６ａｌと右凸部圧搾溝６ａｒとは、製品長手方向中心線ＣＬに対して対称形状となっている。
【００３９】
また、後方圧搾溝６ｃを構成する前方側に窪んだ窪み部６４の深さをＬ３とし、窪み部６４における左右一対の縦圧搾溝６ｃｓの幅方向の間隔をＷ３とした場合、Ｗ３に対するＬ３の比（Ｌ３/Ｗ３）は、後部のフィット性向上および漏れ防止の観点から、１／５以上４／５以下であることが好ましく、２／５以上３／５以下であることが更に好ましい。
【００４０】
次に、ナプキン１における、吸収体４の中高領域、立体ガード５０或いはウイング部２０の位置と、圧搾溝６の位置との関係について詳述する。
ナプキン１の長手方向（Ｘ方向）においては、図２に示すように、吸収体４の前方中高領域４１の前端４１ａが、圧搾溝６を構成する一対の括れ部６２ｒ，６２ｌ近傍の位置に配されている。このように配されていることにより、着用時に、一対の括れ部６２ｒ，６２ｌを起点にナプキン１の前方領域Ａが折れ曲がり易くなり、体液の漏れを防止することができる。
【００４１】
また、ナプキン１の長手方向（Ｘ方向）においては、図２に示すように、立体ガード５０を構成する前方領域Ａ側の固定部５４ａは、圧搾溝６を構成する一対の括れ部６２ｒ，６２ｌの位置よりも前方に配されている。このように配されていることにより、着用時に、一対の括れ部６２ｒ，６２ｌを起点にナプキン１の前方領域Ａが折れ曲がり易くなり、体液の漏れを防止することができる。
【００４２】
また、ナプキン１の長手方向（Ｘ方向）においては、図２に示すように、圧搾溝６を構成する一対の括れ部６２ｒ，６２ｌが、各ウイング部２０の前方付け根２０ａの位置よりも前方に配されている。このように配されていることにより、着用時に、一対の括れ部６２ｒ，６２ｌを起点にナプキン１の前方領域Ａが折れ曲がり易くなり、体液の漏れを防止することができる。
【００４３】
上述したように、圧搾溝６は、例えば、熱エンボス加工、又は超音波シール加工による圧搾により形成されており、ナプキン１においては、圧搾溝６は、それぞれ、高圧搾部６ｓと低圧搾部６ｗとを有している。圧搾溝６における高圧搾部６ｓ及び低圧搾部６ｗの配置パターンに関して説明すると、圧搾溝６の全周溝を構成する前方圧搾溝６ａ、一対の縦圧搾溝６ｂｓ，６ｂｓ、一対の縦圧搾溝６ｃｓ，６ｃｓ及び横圧搾溝６ｃ、並びに圧搾溝６の横圧搾溝６ｄは、何れも、図２に示すように、底部に、複数の高圧搾部６ｓと、各高圧搾部６ｓを囲繞する低圧搾部６ｗとを有している。高圧搾部６ｓは、前方圧搾溝６ａ、横圧搾溝６ｃ及び横圧搾溝６ｄにおいては、幅方向（Ｙ方向）に間隔を空けて間欠的に配されており、一対の縦圧搾溝６ｂｓ，６ｂｓ及び一対の縦圧搾溝６ｃｓ，６ｃｓにおいては、前後方向（Ｘ方向）に間隔を空けて間欠的に配されている。高圧搾部６ｓは、表面シート２及び吸収体４が、低圧搾部６ｗにおけるよりも強く裏面シート３側に圧搾されており、吸収体４は、高圧搾部６ｓにおける密度が低圧搾部６ｗにおける密度よりも高くなっている。また、吸収体４は、低圧搾部６ｗにおける密度が、圧搾溝６以外の部分における密度よりも高くなっている。
【００４４】
圧搾溝６における高圧搾部６ｓと低圧搾部６ｗの配置としては、上述したような形態のほか、高圧搾部６ｓが圧搾溝６の短手方向全体に亘って配置され、圧搾溝６の長手方向に高圧搾部６ｓと低圧搾部６ｗが交互に配置されている形態でも良い。但し、本実施形態のように、高圧搾部６ｓの全周が低圧搾部６ｗに囲繞されていると、ナプキン１のような前方圧搾溝６ｓの場合、長手方向の斜め前方へ突出した圧搾溝部分が固くなり過ぎず、着用中の風合いを損ねることが抑制される。特に、高圧搾部が円形、長円形、楕円形であると、風合いの観点から好ましく、円形の高圧搾部と、長円形又は楕円形の高圧搾部とを、間に低圧搾部６ｗを介して、交互に配置した形状であると、風合いと溝の形状安定性の両立の観点から好ましい。
【００４５】
本実施形態のナプキン１の形成材料について説明する。
表面シート２、裏面シート３、立体ガード形成用シート５としては、通常、生理用ナプキン等の吸収性物品において従来用いられている各種の材料などを特に制限なく用いることができる。
例えば、表面シート２としては、単層又は多層構造の不織布や、開孔フィルム等を用いることができる。裏面シート３としては、液難透過性又は撥水性の樹脂フィルムや樹脂フィルムと不織布の積層体等を用いることができる。立体ガード形成用シート５としては、伸縮性のフィルム、不織布、織物またはそれらの積層シート等を用いることができる。
【００４６】
立体ガード形成用の弾性部材５３としては、通常、生理用ナプキン等の吸収性物品に用いられるものであれば、特に制限なく用いることができ、例えば、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる。
【００４７】
ナプキン１を構成する各部材の間を固定する接着剤としては、通常、生理用ナプキン等の吸収性物品に用いられるものであれば、特に制限なく用いることができ、例えば、ホットメルト接着剤を用いることができる。ホットメルト接着剤としては、例えばスチレン−イソプレン−スチレンブロック共重合体（ＳＩＳ）、スチレン−ブタジエン−スチレンブロック共重合体（ＳＢＳ）、スチレン−エチレン−ブチレン−スチレン共重合体（ＳＥＢＳ）等のブロックコポリマー系のホットメルト接着剤が挙げられる。
【００４８】
上述した本発明の実施形態のナプキン１を使用した際の作用効果について説明する。
ナプキン１においては、図２に示すように、圧搾溝６が、前方圧搾溝６ａ及び各縦圧搾溝６ｂｓを連接する、幅方向内側に括れる一対の括れ部６２ｒ，６２ｌを有し、前方圧搾溝６ａの幅方向中央部に後方側に向かって窪んだ窪み部６１を有している。その為、ナプキン１着用中の動作時に、前方領域Ａの幅方向内側に向かう方向の応力が掛かったとしても、一対の括れ部６２ｒ，６２ｌ又は窪み部６１を起点に折れ曲がり易く、前方領域Ａの前方圧搾溝６ａで囲まれた領域において、縦皺が発生し難く、使用感が向上する。
【００４９】
また、ナプキン１においては、図２に示すように、前方圧搾溝６ａは、右斜め前方に凸状に突出した円弧状の右凸部圧搾溝６ａｒと、左斜め前方に凸状に突出した円弧状の左凸部圧搾溝６ａｌとを有し、右凸部圧搾溝６ａｒ及び左凸部圧搾溝６ａｌは、中心線ＣＬ側にてＶ字状に窪んだ窪み部６１にて交差し連接されている。その為、ナプキン１着用中の動作時に、前方領域Ａの幅方向内側に例えば右外側から応力が掛かったとしても、右斜め前方に凸状に突出した右凸部圧搾溝６ａｒによって応力が軽減され、特に前方圧搾溝６ａの右凸部圧搾溝６ａｒで囲まれた領域にて縦皺が発生し難くなっている。そして、ナプキン１着用中の動作時に、前方領域Ａの幅方向内側に例えば左側から応力が掛かったとしても、左斜め前方に凸状に突出した左凸部圧搾溝６ａｌによって応力が軽減され、特に前方圧搾溝６ａの左凸部圧搾溝６ａｌで囲まれた領域にて縦皺が発生し難くなっている。このように、ナプキン１着用中の動作時に、前方領域Ａの幅方向内側に応力が掛かったとしても、前方圧搾溝６ａで囲まれた領域において、縦皺が更に発生し難く、使用感が更に向上する。
【００５０】
本発明は、上述した実施形態に何ら制限されるものではなく、適宜変更可能である。
例えば、上述したナプキン１は、図１に示すように、着用時に着用者の肌側に向かって起立して立体ガード５０を有しているが、本発明の吸収性物品は、立体ガード５０を有していない形態であってもよい。また、立体ガード５０の形状も、ナプキン１の有する立体ガード５０の形状に限られるものではない。
また、上述したナプキン１は、図１に示すように、ウイング部２０及び後方フラップ部３０を有しているが、本発明の吸収性物品は、ウイング部２０及び後方フラップ部３０の少なくとも一方を有していない形態であってもよい。
【００５１】
本発明の吸収性物品は、生理用ナプキン以外にも、例えば、失禁者用パッド、パンティーライナー等に好適に用いることができる。
【００５２】
上述した実施形態に関し、さらに以下の吸収性物品を開示する。
【００５３】
＜１＞
表面シート、裏面シート及びこれら両シート間に配された吸収体を具備する縦長の吸収性物品であって、着用者の液排泄部が対向配置される排泄部対向領域、該排泄部対向領域より前方の前方領域、及び該排泄部対向領域より後方の後方領域に区分されており、肌対向面に、前記表面シート及び前記吸収体が、前記裏面シート側に向かって一体的に圧搾されてなる圧搾溝を備え、前記圧搾溝は、前記前方領域に幅方向に延びる前方圧搾溝と、前記排泄部対向領域における長手方向に沿う両側部に長手方向に延びる一対の縦圧搾溝とを有し、前記前方圧搾溝及び各前記縦圧搾溝は、幅方向内側に向かって括れる括れ部を形成しながら交差し連接されており、前記前方圧搾溝は、幅方向中央部にて後方側に向かって窪んだ窪み部を有している吸収性物品。
【００５４】
＜２＞
前記前方圧搾溝は、吸収性物品の縦方向中心線に対して左右対称である、前記＜１＞記載の吸収性物品。
＜３＞
前記前方圧搾溝は、前記吸収性物品の長手方向に延びる中心線より右側において右斜め前方に凸状に突出した円弧状の右凸部圧搾溝と、該中心線より左側において左斜め前方に凸状に突出した円弧状の左凸部圧搾溝とを有しており、
前記右凸部圧搾溝及び前記左凸部圧搾溝は、Ｖ字状に窪んだ前記窪み部にて交差し連接されている前記＜１＞又は＜２＞に記載の吸収性物品。
＜４＞
前記前方圧搾溝の最も前方の位置と、前記括れ部の位置との長手方向の距離（Ｌ２）に対する窪み部の窪みの程度（Ｌ１）の比（Ｌ１／Ｌ２）が１／5以上2／3以下である前記＜１＞〜＜３＞の何れか１つに記載の吸収性物品。
＜５＞
前記吸収体は、前記排泄部対向領域に、他の部分よりも厚みの厚い中高領域を有しており、前記中高領域は、前記前方圧搾溝、及び前記一対の縦圧搾溝よりも内側に配されており前記吸収性物品の長手方向において、前記中高領域の前端が、前記一対の括れ部近傍の位置に配されている前記＜１＞〜＜４＞の何れか１つに記載の吸収性物品。
＜６＞
前記吸収性物品は、その長手方向に沿う両側部に、着用時に着用者の肌側に向かって起立する一対の立体ガードを備えており、各前記立体ガードを構成する立体ガード形成用シートは、前記前方領域及び前記後方領域それぞれの固定部にて、前記表面シートに固定されており、前記吸収性物品の長手方向において、前記前方領域側の固定部は、前記括れ部の位置よりも前方に配されている前記＜１＞〜＜５＞の何れか１項に記載の吸収性物品。
＜７＞
前記吸収性物品は、前記排泄部対向領域における両側に一対のウイング部を備えており、前記吸収性物品の長手方向において、各前記括れ部は、各前記ウイング部の前方付け根の位置よりも前方に配されている前記＜１＞〜＜６＞の何れか１つに記載の吸収性物品。
＜８＞
前記圧搾溝は、前記後方領域に幅方向に延びる後方圧搾溝を有し、前記後方圧搾溝は、その中央部にて前方側に窪んだ窪み部を有している前記＜１＞〜＜７＞の何れか１つに記載の吸収性物品。
＜９＞
前記後方圧搾溝を構成する前方側に窪んだ窪み部の深さＬ３の、窪み部における左右一対の縦圧搾溝の幅方向の間隔Ｗ３に対するＬ3の比（Ｌ３/Ｗ3）は１／5以上4／5以下である、前記＜８＞記載の吸収性物品。
＜１０＞
前記右凸部圧搾溝の最も前側の位置と前記左凸部圧搾溝の最も前側の位置それぞれは、幅方向に関して、左右前記一対の括れ部それぞれよりも内側に存在する、前記＜３＞〜＜９＞の何れか１つに記載の吸収性物品。
【００５５】
＜１１＞
前記吸収体は、後方領域における幅方向の中央部に後方中高領域を有している前記＜１＞〜＜１０＞の何れか１つに記載の吸収性物品。
＜１２＞
前記吸収体は、前記中高領域と前記後方中高領域とを纏めて取り囲む環状の周辺領域を有している前記＜１１＞記載の吸収性物品。
＜１３＞
前記後方領域には、長手方向に沿う両側部に長手方向に延びる一対の後方縦圧搾溝を有している前記＜１＞〜＜１２＞の何れか１つに記載の吸収性物品。
＜１４＞
前記前方圧搾溝、前記縦圧搾溝、前記後方縦圧搾溝及び前記後方が連接されて、環状の圧搾溝を構成している、前記＜１３＞記載の吸収性物品。
＜１５＞
前記中高領域によって、排泄部対向領域から後方領域の一部に亘る領域における肌対向面の幅方向中央部に、着用者の肌側に向かって突出する前方隆起部が形成されている前記＜５＞〜＜１４＞の何れか１つに記載の吸収性物品。
＜１６＞
前記後方中高領域によって、後方領域の肌対向面の幅方向中央部に、着用者に肌側に向かって突出する後方隆起部が形成されている前記＜１１＞〜＜１５＞の何れか１つに記載の吸収性物品。
＜１７＞
前記中高部と前記後方中高部とは互いに離間している前記＜１１＞〜＜１６＞の何れか１つに記載の吸収性物品。
＜１８＞
前記後方圧搾溝は、中心線より右側において右斜め後方に凸状に突出した円弧状の右凸部圧搾溝と、中心線より左側において左斜め後方に凸状に突出した円弧状の左凸部圧搾溝とを有している、前記＜１３＞〜＜１７＞の何れか１つに記載の吸収性物品。
＜１９＞
前記圧搾溝は、それぞれ、高圧搾部と低圧搾部とを有している前記＜１＞〜＜１８＞の何れか１つに記載の吸収性物品。
＜２０＞
前記後方領域には左右両側に一対の後方フラップ部を備えている前記＜１＞〜＜１９＞の何れか１つに記載の吸収性物品
＜２１＞
前記圧搾溝は、高圧搾部と低圧搾部６が溝の延びる方向に対して交互に配置されている、前記＜１＞〜＜２０＞の何れか１つに記載の吸収性物品。
＜２２＞
前記圧搾溝は、前記高圧搾部の全周が低圧搾部に囲繞されている、前記＜２１＞記載の吸収性物品。
＜２３＞
前記高圧搾部の形状が円形、長円形、楕円形である、前記＜２１＞又は＜２２＞記載の吸収性物品。
＜２４＞
前記圧搾溝が、円形の高圧搾部と、長円形又は楕円形の高圧搾部を、前記低圧搾部を間に介して、交互に配置してなる、前記＜２１＞〜＜２３＞の何れか１つに記載の吸収性物品。
＜２５＞
前記圧搾溝は、高圧搾部が圧搾溝の短手方向全体に延びて配置されている、前記＜２１＞記載の吸収性物品。
＜２６＞
前記吸収性物品が生理用ナプキンである前記＜１＞〜＜２５＞の何れか１つに記載の吸収性物品。
＜２７＞
前記生理用ナプキンの全長が３０ｃｍ以上である前記＜２６＞に記載の吸収性物品。
【符号の説明】
【００５６】
１  生理用ナプキン（吸収性物品）
２  表面シート
３  裏面シート
４  吸収体
５  立体ガード形成用シート
５０  立体ガード
５１  折り返し部
５２  側縁部
５３  立体ガード形成用の弾性部材
５４ａ，５４ｃ  固定部
６  圧搾溝
６ａ  前方圧搾溝６ａ、６ｂｓ  縦圧搾溝、６ｃｓ  縦圧搾溝
６ｃ，６ｄ  横圧搾溝
６ｓ  高圧搾部、６ｗ  低圧搾部
１０  吸収性本体
２０  ウイング部
３０  後方フラップ部
Ａ  前方領域
Ｂ  排泄部対向領域
Ｃ  後方領域
ＣＬ  長手方向に延びる中心線
【図１】
0006042312.tif 000002
【図２】
0006042312.tif 000003
【図３】
0006042312.tif 000004
【図４】
0006042312.tif 000005